(57)【特許請求の範囲】
【請求項１】
内容物が収容された袋と、この袋が挿入される開口部を有する容器本体と、前記開口部に配置され上記袋の開封口を拡開する拡開部材と、上記容器本体の開口部を開閉可能な開閉蓋と、を具備する詰替容器において、
拡開部材は、一対の枠体と、両方の前記枠体の下方に延び、前記袋体の開口部へと挿入される挿入体と、を具備し、
上記拡開部材の一方の前記枠体の挿入体が、容器本体内に収容された袋の開封口に差し入れられ、前記開封口の一辺側を拡開するように一方の枠体を移動して前記容器本体の開口部に取り付け、その後、他方の前記枠体の挿入体が、容器本体内に収容された袋の開封口に差し入れられ、前記開封口の前記一辺と向かい合う他辺側を拡開するように他方の枠体を移動して前記容器本体の開口部に取り付けることを特徴とする詰替容器。
【請求項２】
前記拡開部材の両方の枠体には、上記容器本体の開口部への装着が完了する際に前記袋の開封口の内周縁と当接して当該開封口を整った形状に拡開する斜面部が設けられていることを特徴とする請求項１に記載の詰替容器。
【請求項３】
前記拡開部材は上記容器本体の開口部と嵌合する嵌合部を有し、前記開閉蓋は前記拡開部材の嵌合部の上から上記容器本体の開口部に嵌合する嵌合部を有することを特徴とする請求項１、又は２に記載の詰替容器。
【請求項４】
前記開閉蓋を開けた際に前記拡開部材を受容しうる凹部が前記開閉蓋に形成されたことを特徴とする請求項１乃至３のいずれか一項に記載の詰替容器。
【請求項５】
両方の前記枠体には、前記開口部を横断するようにして剛性を高めるための補強体が設けられていることを特徴とする請求項１乃至４のいずれか一項に記載の詰替容器。
【請求項６】
両方の前記枠体には、内容物を計量するための計量具を開口部を横断するように配置して収容する収納部が形成されていることを特徴とする請求項１乃至５のいずれか一項に記載の詰替容器。
【請求項７】
容器本体の開口縁と嵌合する嵌合部を備える一対の枠体と、両方の前記枠体の下方に延びる挿入体と、を具備し、
一方の前記枠体の挿入体が、容器本体内に収容された袋の開封口に差し入れられ、前記開封口の一辺側を拡開するように一方の前記枠体を移動して前記容器本体の開口縁に取り付けられ、その後、他方の前記枠体の挿入体が、容器本体内に収容された袋の開封口に差し入れられ、前記開封口の前記一辺と向かい合う他辺側を拡開するように他方の枠体を移動して前記容器本体の開口縁に取り付けられることを特徴とする拡開具。
【請求項８】
内容物が収容された袋と、この袋が挿入される開口部を有する容器本体と、前記開口部に配置され上記袋の開封口を拡開する拡開部材と、上記容器本体の開口部を開閉可能な開閉蓋と、を具備する詰替容器セットにおいて、
拡開部材は、一対の枠体と、両方の前記枠体の下方に延び、前記袋体の開口部へと挿入される挿入体と、を具備し、
上記拡開部材の一方の前記枠体の挿入体が、容器本体内に収容された袋の開封口に差し入れられ、前記開封口の一辺側を拡開するように一方の枠体を移動して前記容器本体の開口部に取り付け、その後、他方の前記枠体の挿入体が、容器本体内に収容された袋の開封口に差し入れられ、前記開封口の前記一辺と向かい合う他辺側を拡開するように他方の枠体を移動して前記容器本体の開口部に取り付けることを特徴とする詰替容器セット。
【発明の詳細な説明】
【技術分野】
【０００１】
本発明は、例えば粉ミルク等の内容物を入れた袋体を開封して袋ごと詰め替えることができる詰替容器、及び袋体の開封口を円滑かつ正確に拡開して容器本体に取付可能な拡開具並びに詰替容器セットに関する。
【背景技術】
【０００２】
従来、粉ミルク等の内容物は缶に充填され密封された包装体として流通市場に供給されている。缶には開閉蓋付き蓋体が付属しており、缶を開封した後にこの開閉蓋付き蓋体を缶に被せ、開閉蓋を開閉すれば、缶内の内容物を小出しに取り出すことが可能である（例えば、特許文献１参照）。
【０００３】
また、ふりかけ等を収納する容器には、ふりかけ等を収納した袋を開封した後に袋ごと容器本体内に収納し、容器本体の開口部を開閉蓋付き蓋体で覆うようにしたものがある。この容器は、開閉蓋付き蓋体と容器本体との嵌合部に袋の開封口の縁を挟み込むことで、容器から中身を振り出す際に、容器本体内への中味の落下を防止するようになっている（例えば、特許文献２参照。）。
【先行技術文献】
【特許文献】
【０００４】
【特許文献１】特許第４２１９２０５号公報
【特許文献２】実用新案登録第２５５４８２２号公報
【発明の概要】
【発明が解決しようとする課題】
【０００５】
上記従来技術のうち前者は使い捨ての包装体であるから、中味を消費した後の缶の処分が面倒であるという問題がある。
【０００６】
後者の包装体は金属以外のプラスチック、紙等で作ることができるので、中味を消費した後の容器本体、袋等の処分は容易である。また、空の袋を中味の入った新しいものと交換することで容器本体、開閉蓋付き蓋体は再使用することができる。しかし、後者の包装体は、柔らかい袋の開封口の全周縁を指で拡げてその拡げた状態を保持しながら、容器本体側の開口縁を袋の開封口の全周縁と共に開閉蓋付き蓋体側の環状溝内に押し込まなければならず、そのため袋を容器本体内に装着したり、袋を新しいものと交換したりする際の操作が極めて面倒である。また、袋を容器本体内に装着する際に、袋開封口の周縁の一部が容器本体の内側に取り残されたりすることがあり、その場合は取り残された箇所から中味が袋と容器本体との間に入り込むという不具合が生じる。さらに、袋を容器本体内に装着する際に、指で袋の開封口を支える必要があり、その指が袋内に侵入して内容物に接触するので不衛生であるという問題がある。
【０００７】
したがって、本発明は、上記問題点を解決することができる詰替容器等を提供することを目的とする。
【課題を解決するための手段】
【０００８】
上記課題を解決するため、本発明は次のような構成を採用する。
【０００９】
なお、本発明の理解を容易にするため図面の参照符号を付するが、本発明はこれに限定されるものでない。
【００１０】
すなわち、請求項１に係る詰替容器は、内容物（ａ）が収容された袋（１）と、この袋が挿入される開口部を有する容器本体（２）と、前記開口部に配置され上記袋の開封口（１ｅ）を拡開する拡開部材（３）と、上記容器本体の開口部を開閉可能な開閉蓋（４）と、を具備する詰替容器において、拡開部材は、一対の枠体（１６、１７）と、両方の前記枠体の下方に延び、前記袋体の開口部へと挿入される挿入体（２１）と、を具備し、上記拡開部材の一方の前記枠体の挿入体が、容器本体内に収容された袋の開封口に差し入れられ、前記開封口の一辺側を拡開するように一方の枠体を移動して前記容器本体の開口部に取り付け、その後、他方の前記枠体の挿入体が、容器本体内に収容された袋の開封口に差し入れられ、前記開封口の前記一辺と向かい合う他辺側を拡開するように他方の枠体を移動して前記容器本体の開口部に取り付けることを特徴とする。
【００１１】
なお、上記内容物（ａ）は乳製品とすることができる。乳製品には、「乳及び乳製品の成分規格等に関する省令（乳等省令）：昭和２６年１２月２７日厚生省令第５２号」における「乳」、「乳製品」及び「乳又は乳製品を主原料とする食品」が含まれ、具体的には、乳、加工乳、乳飲料、はっ酵乳、アイスクリーム、アイスミルク、ラクトアイス、チーズ、調製粉乳、全脂粉乳、脱脂粉乳、練乳等が挙げられ、この詰替容器はいずれの乳製品も包装可能である。
【００１２】
ただし、本発明は、容器が開封された後に長期にわたり喫食される乳製品に好適であり、かかる乳製品としては粉末形状の乳製品、即ち粉乳が好ましく、本発明の効果を最大限に享受することができる。
【００１３】
なお、粉乳とは、調製粉乳、全脂粉乳、脱脂粉乳等の他、粉末クリーム、インスタントクリーミーパウダー、ホエイパウダー、バターミルクパウダー、加糖粉乳等も含まれる。
【００１４】
請求項２に記載の発明は、請求項１に記載の詰替容器において、前記拡開部材の両方の枠体には、上記容器本体の開口部への装着が完了する際に前記袋の開封口の内周縁と当接して当該開封口を整った形状に拡開する斜面部（１３）を更に備えたことを特徴とする。
【００１５】
また、請求項３に記載の発明は、請求項１、又は２に記載の詰替容器において、前記拡開部材は上記容器本体の開口部と嵌合する嵌合部（８）を有し、前記開閉蓋は前記拡開部材の嵌合部の上から上記容器本体の開口部に嵌合する嵌合部（９）を有することを特徴とする。
【００１６】
また、請求項４に記載の発明は、請求項１乃至３のいずれか一項に記載の詰替容器において、前記開閉蓋を開けた際に前記拡開部材を受容しうる凹部が前記開閉蓋に形成されたことを特徴とする。
【００１７】
また、請求項５に記載の発明は、請求項１乃至４のいずれか一項に記載の詰替容器において、両方の前記枠体には、前記開口部を横断するようにして剛性を高めるための補強体（１９）が設けられていることを特徴とする。
【００１８】
また、請求項６に記載の発明は、請求項１乃至５のいずれか一項に記載の詰替容器において、両方の前記枠体には、内容物を計量するための計量具（１８）を開口部を横断するように配置して収容する収納部（１４）が形成されていることを特徴とする。
【００１９】
また、請求項７に記載の拡開具は、容器本体（２）の開口縁と嵌合する嵌合部（８）を備える一対の枠体（１６、１７）と、両方の前記枠体の下方に延びる挿入体（２１）と、を具備し、一方の前記枠体の挿入体が、容器本体内に収容された袋の開封口（１ｅ）に差し入れられ、前記開封口の一辺側を拡開するように一方の枠体を移動して前記容器本体の開口縁に取り付けられ、その後、他方の前記枠体の挿入体が、容器本体内に収容された袋の開封口に差し入れられ、前記開封口の前記一辺と向かい合う他辺側を拡開するように他方の枠体を移動して前記容器本体の開口縁に取り付けられることを特徴とする。
【００２０】
また、請求項８に記載の詰替容器セットは、内容物が収容された袋と、この袋が挿入される開口部を有する容器本体と、前記開口部に配置され上記袋の開封口を拡開する拡開部材と、上記容器本体の開口部を開閉可能な開閉蓋と、を具備する詰替容器セットにおいて、拡開部材は、一対の枠体と、両方の前記枠体の下方に延び、前記袋体の開口部へと挿入される挿入体と、を具備し、上記拡開部材の一方の前記枠体の挿入体が、容器本体内に収容された袋の開封口に差し入れられ、前記開封口の一辺側を拡開するように一方の枠体を移動して前記容器本体の開口部に取り付け、その後、他方の前記枠体の挿入体が、容器本体内に収容された袋の開封口に差し入れられ、前記開封口の前記一辺と向かい合う他辺側を拡開するように他方の枠体を移動して前記容器本体の開口部に取り付けることを特徴とする。
【発明の効果】
【００２１】
本発明によれば、袋を容器本体に装着する際に、当該袋に接触することなく、容易に半開き状態の袋を拡開して装着することができる。また、内容物が消費された場合には、新しい袋と交換可能であって、その交換時の操作をきわめて簡単に行うことができる。さらに、内容物が容器本体とガセット袋との間に漏れ出るという不具合を防止できる。
【図面の簡単な説明】
【００２２】
【図１】本発明に係る詰替容器の平面図である。
【図２】図１中、ＩＩ−ＩＩ線矢視断面図である。
【図３】図１中、ＩＩＩ−ＩＩＩ線矢視断面図である。
【図４】拡開部材の平面図である。
【図５】拡開部材を左枠部と右枠部とに分割した状態を示す平面図である。
【図６】左枠部を斜め上から見た斜視図である。
【図７】袋の開封口の拡開作用を説明するための図であり、図７（ａ）は左枠体の挿入体を袋の開封口に挿入する時の状態図、図７（ｂ）は右枠体の挿入体を袋の開封口に挿入する時の状態図、図７（ｃ）は袋の開封口を完全に開いた時の状態図である。
【図８】詰替え用のガセット袋を示し、図８（ａ）は未開封状態を示す斜視図、図８（ｂ）は開封状態を示す斜視図である。
【発明を実施するための形態】
【００２３】
以下、本発明の望ましい形態について図面に基づいて説明する。なお、以下の実施形態では、内容物ａを収容する袋の一例としてガセット袋を用いているが、一般的に自立袋と称される袋体等他の形態の袋体を適用することが可能である。
【００２４】
図１乃至図３に示すように、この詰替容器は、内容物ａが収容された詰替え用の袋１と、この袋１が挿入される開口部を有する容器本体２と、容器本体２の開口部に配置されて袋１の開封口１ｅを拡開する拡開部材３と、容器本体２の開口部を開閉可能な開閉蓋４と、を具備する。
【００２５】
上記袋１は、詰替前は内容物ａを収納したうえで、図８（ａ）に示すように密封されている。図８（ａ）中、符号１ａはヒートシール等による封緘部を示し、符号１ｂは切り取り予定線を示す。内容物は、例えば乳製品である粉ミルク等である。
【００２６】
この袋１は、詰替に際して切り取り予定線１ｂ上で封緘部１ａが切除されることにより開封される。図８（ｂ）に示すように、開封された袋１の開封口１ｅは、半開状態となり、さらに具体的には、本実施形態における袋はガセット袋であることから、両側中央部に内向きに折れ曲がるノッチ部１ｄが生じる。この開封された袋１は、図８（ｂ）に示す開封状態で容器本体２内に収納されるか、若しくは容器本体２内に収納された後に開封される。
【００２７】
なお、このノッチ部１ｄとは、袋１（ガセット袋）を構成するシートの折り目が開封口１ｅの内側に略Ｖ字状に突出した部分をいう。
【００２８】
容器本体２は、図示しないが上端部に開口部を有し、図２及び図３に示すように、前後壁２ａ、２ｂと左右壁２ｃ、２ｄと底壁２ｅとを具備した全体として略直方体の箱に形成される。この容器本体２には、図２及び図３に示すように、上記開封された袋１（又は未開封の袋１）が開口部から挿入され収納される。
【００２９】
容器本体２の開口部の外周縁には嵌合突起５が設けられ、その嵌合突起５の下方には、上リブ６、下リブ７が順に設けられる。図２及び図３に示すように、嵌合突起５は、外周にわたって外側に突出した部材であって、拡開部材３の嵌合部８が容器本体２の開口縁に被さったときに、この嵌合部８の嵌合突起８ａと嵌合される。図２に示すように、上リブ６は、外周にわたって嵌合突起５よりも外側に突出した部材であって、この上リブ６には拡開部材３の嵌合部８の下縁が当接される。また、下リブ７は、外周にわたって上リブ６よりも外側に突出した部材であって、この下リブ７には開閉蓋４の嵌合部９の下縁が当接される。
【００３０】
また、容器本体２の後壁２ｂには、一対のヒンジを構成するためのブラケット１０が設けられる。図１、及び図３に示すように、このブラケット１０には、開閉蓋４のヒンジ軸１１が連結されている。このブラケット１０とヒンジ軸１１からなるヒンジは例えば薄肉部で連結して、容器本体２及び開閉蓋４と一体的に形成することも可能である。また、ヒンジは拡開部材３と開閉蓋４との間に設けることも可能である。
【００３１】
開閉蓋４は、図２及び図３に示すように、台形状に形成された天板１２と、天板１２の外周縁で上方に突出する内外二重の周壁９ａ、９ｂよりなる嵌合部９とを具備する。
【００３２】
図１乃至図３に示すように、この開閉蓋４の嵌合部９が、拡開部材３の嵌合部８の上から容器本体２の開口縁に嵌合する。すなわち、開閉蓋４で容器本体２の開口部を閉じたとき、容器本体２の開口部に嵌合した拡開部材３の嵌合部８が内外二重の周壁９ａ、９ｂ間に侵入し、これにより容器本体２と拡開部材３と開閉蓋４の三者が合体する。
【００３３】
また、天板１２と内周壁９ａとの間には、凹部４ａが形成される。ガセット袋１の詰替等にあたり、開閉蓋４を開けた際に、この凹部４ａ内に拡開部材３を入れ、拡開部材３の嵌合部８を開閉蓋４の嵌合部９に挿入することで、ガセット袋１を開封操作等する際に拡開部材３を仮置きすることが可能である。
【００３４】
拡開部材３は、図４乃至図６に示すように、容器本体２と開閉蓋４とは別体の袋拡開用の拡開具として形成される。
【００３５】
拡開部材３は、図４に示すように、容器本体２の開口縁にほぼ合致しうる大きさの枠型に形成された左右一対の枠体１５を備える。この枠体１５は、図５に示すように、左右に２分割して形成され、容器本体２の開口部の略半分の大きさを有する左枠部１６、及び右枠部１７を備える。
【００３６】
各枠部１６、１７の外周縁には、図１乃至図６に示すように、容器本体２の開口縁に被さり、また、開閉蓋４の嵌合部９に被せられることで、この拡開部材３を容器本体２と開閉蓋４と一体化させる嵌合部８が設けられている。
【００３７】
拡開部材３における嵌合部８の内周側には、図５及び図６に示すように、滑らかに下降するように斜面部１３が形成され、その中央には開口部３ａを有する。この開口部３ａは容器本体２の開口部の開口よりやや小さく、この開口を通して内容物ａの取り出しが行われる。
【００３８】
また、各枠部１６、１７には、各枠部１６、１７の剛性を補強するために、中央の開口３ａを前後方向に横断するようにして補強体１９が設けられている。この補強体１９は、後述する計量具１８で掬った内容物ａを摺り切る摺り切りとしても機能する。
【００３９】
また、この斜面部１３の左右両側下端面には、図２、図３、及び図６に示すように、ガセット袋１の開封口１ｅへの挿入体２１が略垂直状に設けられる。この挿入体２１は、やや先細りの略三角形状に形成され、ノッチ部１ｄを拡開して袋１の開封口１ｅを開くためのガイド体として機能する。
【００４０】
また、斜面部１３の内周には、下方に延びて設けられる内枠２２が開口部３ａを縁取りするように設けられている。
【００４１】
そして、開封された袋１が収納された容器本体２の開口部に、拡開部材３が装着される際、図７（ａ）に示すように、まず、左枠部１６の挿入体２１の先端部を袋１の開封口１ｅにおける左側のノッチ部１ｄ内に侵入させ、左枠部１６を左方に移動し、左枠部１６の嵌合部８を容器本体２の開口縁に嵌合することで、図７（ｂ）に示すように、左側のノッチ部１ｄを拡開させる。次に、右枠部１７を左枠部１６の上方で重ね合わせるようにして、右枠部１７の挿入体２１の先端部を袋の開封口１ｅにおける右側のノッチ部１ｄ内に侵入させ、右枠部１７を右方に移動し、右枠部１７の嵌合部８を容器本体２の開口縁に嵌合することで、図７（ｃ）に示すように、右側のノッチ部１ｄを拡開させる。また、拡開部材３が容器本体２と一体化することで斜面部１３の下端面に開封口１ｅの内周縁が当接して開封口１ｅが整った形状に保形される。かくて、この拡開部材３の容器本体２の開口部への装着が完了する。
【００４２】
なお、袋１の開封端は、斜面部１３の下端近傍に配置され、この開封端は、内枠２２と挿入体２１が、その開封口１ｅの縁を上から覆うようになっており、袋１の開封口１ｅの内周縁は、当該内枠２２と挿入体２１とで遮蔽されるので、袋１から内容物ａを取り出す際に内容物ａが容器本体２とガセット袋１との間に落下するという不具合が防止される。
【００４３】
また、上記斜面部１３からつづく水平壁１４には平坦部を形成し、図１及び図２に示すように、この平坦部内にスプーン等の計量具１８が収納される。また、上記計量具１８で掬った内容物ａは補強体１９により摺り切ることが可能である。
【００４４】
また、拡開部材３の周縁すなわち嵌合部には、図４に示すように外方向に突出する摘み片２０が設けられる。操作者は摘み片２０を持って拡開部材３を容器本体２等に対し簡易に着脱することできる。
【００４５】
次に、上記構成の詰替容器及び拡開部材の作用について説明する。
【００４６】
（１）粉ミルク等の内容物ａが収納された袋１は、当初図８（ａ）に示すような開封口１ｅが封緘部１ａで密封された状態にある。
【００４７】
この袋１の封緘部１ａが、切り取り予定線１ｂ上で切除されることにより、図８（ｂ）に示すように開封される。この開封された袋１が容器本体２内に挿入される。あるいは、未開封の袋１が容器本体２内に収納された後、その封緘部１ａが切除されることにより開封される。
【００４８】
（２）袋１の開封口１ｅは、半開状態となっており、本実施形態では、例えば、両側中央部から内向きにノッチ部１ｄが生じている。
【００４９】
ここで、図７（ａ）に示すように、まず、操作者によって拡開部材３の一方（例えば、左枠部１６）の挿入体２１の先端部が容器本体２内の袋１の開封口１ｅにおける左側のノッチ部１ｄ内に挿入され、当該左枠部１６が左方に移動され、図７（ｂ）に示すように、左枠部１６の嵌合部８が容器本体２の開口縁に嵌合される。この左枠部１６の動作により、左側のノッチ部１ｄが拡開される。
【００５０】
（３）次に、図７（ｂ）に示すように、右枠部１７の挿入体２１の先端部が袋１の開封口１ｅにおける右側のノッチ部１ｄ内に挿入され、当該右枠部１７が右方に移動され、図７（ｃ）に示すように、右枠部１７の嵌合部８が容器本体２の開口縁に嵌合される。この右枠部１６の動作により、右側のノッチ部１ｄが拡開される。
【００５１】
このように左右枠部１６、１７の動作により、左右両方のノッチ部１ｄが押し広げられて拡開し、半開状態の開封口を完全に開く。また、拡開部材３が容器本体２と一体化されると、図７（ｃ）に示すように、開封口１ｅの内周縁は、斜面部１３の下端面に当接して開封口１ｅが整った形状に保持される。
【００５２】
かくて、操作者の指等が袋１の内部に触れることなく、袋１の開封口１ｅが完全に開かれた状態で速やかに詰替容器の開口部に装着されることとなる。
【００５３】
（４）また、袋１の内容物ａを取り出すには、スプーン等の計量具１８を拡開部材３の開口３ａから袋１内に挿入して内容物ａを掬い、摺り切りとして機能する補強体１９で余剰の内容物ａを除去した後、内容物ａを容器本体２外へと取り出す。
【００５４】
（５）内容物ａの取り出し後、開閉蓋４を容器本体２の開口部側に倒して開閉蓋４の嵌合部９を拡開部材３の嵌合部８に嵌合させることで、開閉蓋４によって再び袋１内を密閉状態に保つことができる。
【００５５】
（６）袋１内の内容物ａが消費されると、開閉蓋４と拡開部材３を容器本体２から取り外し、空の袋１を容器本体２から抜き取り、新しい袋１を開封して上述したと同様な手順で容器本体２内に装着し、拡開部材３で袋１の開封口１ｅを拡開することで中味の内容物ａを取り出すことができる。
【００５６】
なお、本発明は上記実施の形態に限定されるものではなく、本発明の要旨の範囲内で種々変更可能である。例えば、実施の形態では内容物は粉ミルクであるが、そのような粉末状のほか、顆粒状、粒状、ブロック状、ペースト状等各種の形態の食品とすることができる。その他、内容物は、錠剤であってもよいし、個々のピースが個包装されたピース状のものであってもよい。
【００５７】
また、内容物が収容された袋と、この袋が挿入される開口部を有する容器本体と、開口部に配置され袋の開封口を拡開する拡開部材と、容器本体の開口部を開閉可能な開閉蓋とが組み合わされた詰替容器セットとして構成することも本発明の範囲内である。
【符号の説明】
【００５８】
１…ガセット袋
１ｅ…開封口
１ｄ…ノッチ部
２…容器本体
３…拡開部材
４…開閉蓋
８、９…嵌合部
１６…左枠部
１７…右枠部
１９…補強体
２１…挿入体
ａ…内容物
【図１】
0005411191.tif 000002
【図２】
0005411191.tif 000003
【図３】
0005411191.tif 000004
【図４】
0005411191.tif 000005
【図５】
0005411191.tif 000006
【図６】
0005411191.tif 000007
【図７】
0005411191.tif 000008
【図８】
0005411191.tif 000009